(57)【要約】【課題】  単純な構造で実現でき、操作を簡単に行うことができるようにする。【解決手段】  本発明の軟質地盤の試料採取装置１は、昇降駆動可能かつ回転駆動可能に支持された駆動軸２の偏心位置に支持されて上下に延びる筒体４と、該筒体４の下端側開口４ａを閉じるための蓋体５とを備え、蓋体５が下端側開口４ａを開いた状態で駆動軸２を下降させ、地盤中の所定深さにおける地盤試料を筒体４内に採取するものである。そして、蓋体５は、駆動軸２と平行な軸１３を中心に筒体４に対して相対回動自在に支持され、駆動軸２が正回転方向Ｒ１へ回転されると、周囲の地盤との摩擦によって相対回動するとともに、開口４ａが閉じた位置で閉位置係止ピン１５により回動を阻止され、駆動軸２が逆回転方向Ｒ２へ回転されると、周囲の地盤との摩擦によって相対回動するとともに、開口４ａが開いた位置で開位置係止ピン１６により回動を阻止されるように構成されている。【選択図】      図１
2005090045.tif 000002
【特許請求の範囲】
【請求項１】
昇降駆動可能かつ回転駆動可能に支持された駆動軸の偏心位置に支持されて上下に延びる筒体と、
該筒体の下端側開口を開閉するための蓋体とを備え、
前記蓋体が前記下端側開口を開いた状態で前記駆動軸が下降されると、地盤中の所定深さにおける地盤試料を前記筒体内に採取するように構成された軟質地盤の試料採取装置であって、
前記蓋体は、前記駆動軸と平行な軸を中心に前記筒体に対して相対回動自在に支持され、前記駆動軸がその一回転方向である正回転方向へ回転されると、周囲の地盤との摩擦によって相対回動するとともに、前記開口が閉じた位置で閉位置係止部により回動を阻止され、前記駆動軸が逆回転方向へ回転されると、周囲の地盤との摩擦によって相対回動するとともに、前記開口が開いた位置で開位置係止部により回動を阻止されるように構成された軟質地盤の試料採取装置。
【請求項２】
昇降駆動可能かつ回転駆動可能に支持された駆動軸の偏心位置に支持されて上下に延びる筒体と、
該筒体の下端側開口を開閉するための蓋体とを備え、
前記蓋体が前記下端側開口を開いた状態で前記駆動軸が下降されると、地盤中の所定深さにおける地盤試料を前記筒体内に採取するように構成された軟質地盤の試料採取装置であって、
前記筒体は、前記駆動軸と平行な軸を中心に前記蓋体に対して相対回動自在に支持され、前記駆動軸がその一回転方向である正回転方向へ回転されると、周囲の地盤との摩擦によって相対回動するとともに、前記開口が閉じた位置で閉位置係止部により回動を阻止され、前記駆動軸が逆回転方向へ回転されると、周囲の地盤との摩擦によって相対回動するとともに、前記開口が開いた位置で開位置係止部により回動を阻止されるように構成された軟質地盤の試料採取装置。
【請求項３】
前記筒体には、その上端側を閉じる上壁が設けられ、
該上壁には、地盤試料が前記開口から該筒体内へ進入するときに、該筒体内に存在する媒体を筒体外へ逃がすための穴が設けられた請求項１又は２記載の軟質地盤の試料採取装置。
【請求項４】
前記穴には、筒体内から筒体外への流れを許し、その逆の流れを防ぐ逆止弁が設けられた請求項３記載の軟質地盤の試料採取装置。
【請求項５】
前記筒体及び前記蓋体は、前記駆動軸の下端部に支持された請求項１〜４のいずれか一項に記載の軟質地盤の試料採取装置。
【請求項６】
請求項１〜５のいずれか一項に記載の試料採取装置を使用した地盤の試料採取方法であって、
前記駆動軸を前記正回転方向へ回転させながら前記試料採取装置を地盤中の所定深さまで下降させる段階と、
該所定深さにおいて、前記駆動軸を前記逆回転方向へ回転させることにより、前記筒体に対して前記蓋体が相対的に開いた状態にする段階と、
該開いた状態において、前記駆動軸を下降させ、地盤試料を前記筒体内に採取する段階と、
前記駆動軸を前記正回転方向へ回転させながら前記試料採取装置を地上まで上昇させる段階と
を含む地盤の試料採取方法。
【発明の詳細な説明】
【技術分野】
【０００１】
本発明は、軟質地盤における任意の深さの地盤試料を採取するための試料採取装置及び方法に関するものである。
【背景技術】
【０００２】
従来のこの種の試料採取装置として、特許文献１記載の改良地盤のコア採取装置７０を例示する。この装置７０は、図１０に示すように、前面にスライド機構によって開閉可能な蓋７１を備えた長方形のバケット７２を、掘削撹拌軸７３の撹拌羽根７４に、底面が水平になるようにコ字型ガイド７５で着脱可能に装備し、バケット７２の前面の蓋７１の上下に、該蓋を開閉するためのワイヤー７６，７７を備えてなっている。
【０００３】
長方形のバケット７２を掘削撹拌軸７３の撹拌羽根７４に装着して、前面の蓋７１を閉じるため後方のワイヤー７７を軽く引っ張っておき（図１０参照）、この状態を保ちながら掘削撹拌軸７３をセメントミルクと撹拌した後の地盤に、圧入していく。所定の深さまで掘削撹拌軸７３が降りたら、ワイヤー７７を緩め、ワイヤー７６を引っ張って長方形のバケット７２の蓋７１を開き掘削撹拌軸７３を掘削方向に１回転させる。すると、所用のコアのサンプルがバケット７２の中に掬い込まれる。その後、再びワイヤー７７を引っ張り、ワイヤー７６を緩めてバケットの蓋７１を閉じ、掘削撹拌軸７３を回転することなく地上まで引き上げる。
【０００４】
【特許文献１】特開平８−２１８３５６号公報
【発明の開示】
【発明が解決しようとする課題】
【０００５】
ところが、特許文献１記載のコア採取装置７０におけるバケット７２の蓋７１は、ワイヤー７６，７７により開閉駆動されるように構成されているので、例えば次の課題がある。
（ａ）所定深さまでのワイヤー７６，７７を用意するとともに、掘削撹拌軸７３の地盤への圧入とともにワイヤー７６，７７順次を送り出さなければならず、操作に手間が掛かる。
（ｂ）地盤に掘削撹拌軸７３を圧入するときにワイヤー７６，７７も地盤内に引き込まれて行くが、このときワイヤー７６，７７が地盤内に含まれる岩石等と摺れて傷みやすく、メンテナンスに手間が掛かる。
（ｃ）ワイヤー７６，７７が地盤中に含まれる岩石等の間に挟み込まれたり、ワイヤー７６，７７同士が地盤中で、もつれたりすることがあり、蓋７１の開閉駆動ができなくなることがある。
【課題を解決するための手段】
【０００６】
上記課題を解決するために、第一の発明に係る軟質地盤の試料採取装置は、
昇降駆動可能かつ回転駆動可能に支持された駆動軸の偏心位置に支持されて上下に延びる筒体と、
該筒体の下端側開口を開閉するための蓋体とを備え、
前記蓋体が前記下端側開口を開いた状態で前記駆動軸が下降されると、地盤中の所定深さにおける地盤試料を前記筒体内に採取するように構成された軟質地盤の試料採取装置であって、
前記蓋体は、前記駆動軸と平行な軸を中心に前記筒体に対して相対回動自在に支持され、前記駆動軸がその一回転方向である正回転方向へ回転されると、周囲の地盤との摩擦によって相対回動するとともに、前記開口が閉じた位置で閉位置係止部により回動を阻止され、前記駆動軸が逆回転方向へ回転されると、周囲の地盤との摩擦によって相対回動するとともに、前記開口が開いた位置で開位置係止部により回動を阻止されるように構成されている。
【０００７】
また、第二の発明に係る軟質地盤の試料採取装置は、
昇降駆動可能かつ回転駆動可能に支持された駆動軸の偏心位置に支持されて上下に延びる筒体と、
該筒体の下端側開口を開閉するための蓋体とを備え、
前記蓋体が前記下端側開口を開いた状態で前記駆動軸が下降されると、地盤中の所定深さにおける地盤試料を前記筒体内に採取するように構成された軟質地盤の試料採取装置であって、
前記筒体は、前記駆動軸と平行な軸を中心に前記蓋体に対して相対回動自在に支持され、前記駆動軸がその一回転方向である正回転方向へ回転されると、周囲の地盤との摩擦によって相対回動するとともに、前記開口が閉じた位置で閉位置係止部により回動を阻止され、前記駆動軸が逆回転方向へ回転されると、周囲の地盤との摩擦によって相対回動するとともに、前記開口が開いた位置で開位置係止部により回動を阻止されるように構成されている。
【０００８】
これらの構成によれば、前記駆動軸を前記正回転方向へ回転させると前記蓋体が前記筒体の下端側開口を閉じた状態にすることができ、前記逆回転方向へ回転させると前記蓋体が前記筒体の下端側開口を開いた状態にすることができる。また、前記蓋体が前記筒体の下端側開口を開いた状態において、前記駆動軸を下降させると、前記筒体内に地盤試料を採取することができる。このように、本例の試料採取装置では、前記蓋体を地上において遠隔操作するための操作手段が前記駆動軸だけでよく、それ以外の操作手段（例えば従来例におけるワイヤ）を別途設ける必要がないので、単純な構造で実現することができ、コストを低減するとともに、信頼性を向上することができる。また、前記駆動軸を回転させたり、昇降させたりすることにより、地盤試料を採取することができるので、従来例とは異なり、簡単に使用することができる。
【０００９】
第三の発明に係る軟質地盤の試料採取装置は、
前記第一又は第二の発明において、
前記筒体には、その上端側を閉じる上壁が設けられ、
該上壁には、地盤試料が前記開口から該筒体内へ進入するときに、該筒体内に存在する媒体を筒体外へ逃がすための穴が設けられた態様を例示する。
【００１０】
この構成によれば、前記上壁により前記筒体内に所定深さ以外の深さの地盤試料が入るのを防止することができる。また、前記下端側開口から前記筒体内に地盤試料が入って行くときに、該筒体内に存在する媒体を該穴から筒体外へ排出することができるので、該筒体内に地盤試料をスムーズに採取することができる。
【００１１】
第四の発明に係る軟質地盤の試料採取装置は、
前記第三の発明において、
前記穴には、筒体内から筒体外への流れを許し、その逆の流れを防ぐ逆止弁が設けられた態様を例示する。
【００１２】
この構成によれば、筒体内に存在する媒体を穴から筒体外へ排出することを許す一方、該穴から筒体内に所定深さ以外の地盤試料が入り込むのを防止することができる。
【００１３】
第五の発明に係る軟質地盤の試料採取装置は、
前記第一から第四のいずれかの発明において、
前記筒体及び前記蓋体は、前記駆動軸の下端部に支持された態様を例示する。
【００１４】
この構成によれば、所定深さの地盤試料を採取する以前に、前記駆動軸、前記筒体及び前記蓋体が地盤試料を撹拌することがないので、所定深さにおける地盤試料をほぼそのままの状態で採取することがきる。
【００１５】
第六の発明に係る地盤の試料採取方法は、
前記第一から第五のいずれかの発明に係る試料採取装置を使用した地盤の試料採取方法であって、
前記駆動軸を前記正回転方向へ回転させながら前記試料採取装置を地盤中の所定深さまで下降させる段階と、
該所定深さにおいて、前記駆動軸を前記逆回転方向へ回転させることにより、前記筒体に対して前記蓋体が相対的に開いた状態にする段階と、
該開いた状態において、前記駆動軸を下降させ、地盤試料を前記筒体内に採取する段階と、
前記駆動軸を前記正回転方向へ回転させながら前記試料採取装置を地上まで上昇させる段階と
を含んでいる。
【００１６】
この方法によれば、前記下降させる段階と、前記上昇させる段階において、前記駆動軸を正回転方向へ回転させているので、下降又は上昇中に前記下端側開口を前記蓋体が確実に閉じているようにすることができる。また、地盤試料を採取するときだけ前記下端側開口を前記蓋体が開くようにしているので、所定深さの地盤試料を確実に採取することができる。また、前記駆動軸を回転させたり、昇降させたりすることにより、地盤試料を採取することができるので、従来例とは異なり、簡単に操作を行うことができる。
【００１７】
なお、本書において、軟質地盤とは、（ａ）未硬化の改良地盤、（ｂ）前記試料採取装置を嵌入できる未改良の自然地盤（例えば、河川、湖沼、池等における底の堆積物や、粘土状地盤等）をいう。また、地盤試料とは、土、泥、砂、砂利、石等の土質試料の他に、廃棄物、さらに水を始めとする液体を含むものとする。また、改良地盤とは、軟弱地盤を改良してなる地盤のことであり、例えば、地盤を掘削しセメントミルク等と撹拌してなるものを例示する。
【発明の効果】
【００１８】
本発明に係る軟質地盤の試料採取装置及び方法によれば、単純な構造で実現できるとともに、操作を簡単に行うことができるという優れた効果を奏する。
【発明を実施するための最良の形態】
【００１９】
図１〜図５は本発明を具体化した第一実施形態の軟質地盤の試料採取装置１及び試料採取方法を示している。この試料採取装置１は、地盤中の所定深さにおける地盤試料を採取するためのものであり、昇降駆動可能かつ回転駆動可能に支持された駆動軸２に着脱可能に取り付けられている。本例では、駆動軸２として、深層混合処理に使用される掘削撹拌軸を利用しており、該掘削撹拌軸の下端部には、地盤を掘削・撹拌するための羽根２ａと、該羽根で掘削・撹拌した地盤にセメントミルクを注入するための穴２ｂとが設けられている。
【００２０】
試料採取装置１は、駆動軸２の下端部に着脱可能に取り付けられる取付部３と、該取付部３の下側に固定されて上下に延びる一対の筒体４，４と、該両筒体４，４の下端側開口４ａを開閉ための蓋体５と、該下端側開口４ａを開いた状態における蓋体５を支持するための一対の支持体６，６とを備えている。
【００２１】
取付部３は、本例では、駆動軸２の下端部に設けられた取付穴２ｃに、固定手段としてのボルト１０及びナット１１によって取り付けられるようになっている。取付部３の構成は、一例であって、これに限定されず、駆動軸２の構成や、該駆動軸２への取付箇所等に応じて適宜変更することができる。
【００２２】
一対の筒体４は、駆動軸２の軸芯を中心とする対称位置に配設されるとともに、互いに連結されている。このように各筒体４は、駆動軸２の偏心位置に支持されている。各筒体４には、その上端側を閉じる上壁７が設けられ、該上壁７には、地盤試料が下端側開口４ａから該筒体４内へ進入するときに、該筒体４内に存在する媒体を筒体４外へ逃がすための穴７ａが設けられている。この穴７ａには、筒体４内から筒体４外への流れを許し、その逆の流れを防ぐ逆止弁８が設けられている。本例の逆止弁８は、上壁７の外面において、先端部が穴７ａを塞ぐように配置され、基端部がネジ８ｂで上壁７に固定された可撓性の板８ａからなっている。
【００２３】
蓋体５は、一対の円形状蓋片５ａが一体的に連結されてなる略８字状に形成されており、両蓋片５ａが両筒体４の下端側開口４ａをそれぞれ閉じるようになっている。この蓋体５は、両蓋片５ａを連結する連結部の中央が駆動軸２と平行な軸１３（本例では駆動軸２と同心位置）を中心に駆動軸２及び筒体４に対して相対回動自在に支持されている。筒体４の下端部には、閉位置係止部としての閉位置係止ピン１５と、開位置係止部としての開位置係止ピン１６とが下方へ向けて突設されている。閉位置係止ピン１５は両蓋片５ａが両開口４ａを閉じた位置で蓋体５の回動を阻止し、開位置係止ピン１６は両蓋片５ａが両開口４ａを開いた位置で蓋体５の回動を阻止するようになっており、該両係止ピン１５，１６により蓋体５の回動範囲が制限されるようになっている。
【００２４】
一対の支持体６は、下端側開口４ａを開いた状態における蓋体５の両蓋片５ａの上面にそれぞれ当接するように配設されており、該状態において、駆動軸２が下降されたときに、蓋体５を上から支持し、地盤試料から受ける圧力による蓋体５の変形を防止するようになっている。
【００２５】
次に、蓋体５及び筒体４の作用について説明する。まず、駆動軸２が正回転方向Ｒ１（図１参照）へ回転されると、該回転に伴って筒体４も回動するが、蓋体５は周囲の地盤との摩擦によって回動が抑制されるので、筒体４に対して蓋体５が相対回動する。そして、蓋体５は、筒体４の開口４ａを閉じる位置まで相対回動すると、閉位置係止ピン１５によりその相対回動を阻止されて、その状態を保持する。また、駆動軸２が逆回転方向Ｒ２（図１参照）へ回転されると、正回転方向Ｒ１への回転時と同様の作用により、筒体４に対して蓋体５が相対回動する。そして、蓋体５は、筒体４の開口４ａを開いた位置まで相対回動すると、開位置係止ピン１６によりその相対回動を阻止されて、その状態を保持するようになっている。
【００２６】
次に、図５を参照しながら、本発明の地盤試料の試料採取方法を各段階ごとに説明する。
（１）図５（ａ）に示すように、駆動軸２を正回転方向Ｒ１へ回転させながら試料採取装置１を地盤中の所定深さまで下降させる。このとき正回転方向Ｒ１へ回転されているので、蓋体５が筒体４の下端側開口４ａを閉じた状態になっており、筒体４には上壁７が設けられているとともに該上壁７の穴７ａには逆止弁８が設けられているので、筒体４内は空の状態を保ったまま下降する。本段階が、駆動軸２を正回転方向Ｒ１へ回転させながら試料採取装置１を地盤中の所定深さまで下降させる段階である。
【００２７】
（２）図５（ｂ）に示すように、該所定深さにおいて、駆動軸２を逆回転方向Ｒ２へ回転させる（本例では、少なくとも約９０°回転させる）ことにより、筒体４に対して蓋体５が相対的に開いた状態にする。本段階が、地盤試料を採取しようとする所定深さにおいて、駆動軸２を逆回転方向Ｒ２へ回転させることにより、筒体４に対して蓋体５が相対的に開いた状態にする段階である。
【００２８】
（３）図５（ｃ）に示すように、該開いた状態において、駆動軸２を下降させる。すると、地盤試料が筒体４内に相対的に進入し、地盤試料が筒体４内に採取される。このとき、上壁７に設けられた逆止弁８は、筒体４内から筒体４外への流れを許すようになっているので、筒体４内の空気を筒体４外へ排出させることができ、筒体４内に地盤試料をスムーズに採取することができる。本段階が、筒体４に対して蓋体５が相対的に開いた状態において、駆動軸２を下降させ、地盤試料を筒体４内に採取する段階である。
【００２９】
（４）図５（ｄ）に示すように、駆動軸２を正回転方向Ｒ１へ回転させる（本例では、少なくとも９０°回転させる）ことにより、筒体４に対して蓋体５が相対的に閉じた状態にする。次いで、駆動軸２を正回転方向Ｒ１へ回転させるとともに上昇させることにより、試料採取装置１を地上まで上昇させる。このとき正回転方向Ｒ１へ回転されているので、蓋体５が筒体４の下端側開口４ａを閉じた状態になっており、筒体４には上壁７が設けられているとともに該上壁７の穴７ａには逆止弁８が設けられているので、筒体４内に採取された所定深さにおける地盤試料は、他の深さにおける地盤試料が混入することなく上昇する。本段階が、駆動軸２を正回転方向Ｒ１へ回転させながら試料採取装置１を地上まで上昇させる段階である。
【００３０】
（５）地上において、筒体４に対して蓋体５を相対回動させることにより、筒体４の下端側開口４ａを開き、筒体４内に採取された地盤試料を取り出す。
【００３１】
以上のように構成された本例の軟質地盤の試料採取装置１によれば、駆動軸２を正回転方向Ｒ１へ回転させると蓋体５が筒体４の下端側開口４ａを閉じた状態にすることができ、逆回転方向Ｒ２へ回転させると蓋体５が筒体４の下端側開口４ａを開いた状態にすることができる。また、蓋体５が筒体４の下端側開口４ａを開いた状態において、駆動軸２を下降させると、筒体４内に地盤試料を採取することができる。このように、本例の試料採取装置１では、蓋体５を地上において遠隔操作するための操作手段が駆動軸２だけでよく、それ以外の操作手段（例えば従来例におけるワイヤ）を別途設ける必要がないので、単純な構造で実現することができ、コストを低減するとともに、信頼性を向上することができる。また、駆動軸２を回転させたり、昇降させたりすることにより、地盤試料を採取することができるので、従来例とは異なり、簡単に使用することができる。
【００３２】
また、筒体４には、その上端側を閉じる上壁７が設けられているので、上壁７により筒体４内に所定深さ以外の深さの地盤試料が入るのを防止することができる。また、上壁７には、地盤試料が下端側開口４ａから該筒体４内へ進入するときに、該筒体４内に存在する媒体を筒体４外へ逃がすための穴７ａが設けられているので、下端側開口４ａから筒体４内に地盤試料が入って行くときに、該筒体４内に存在する媒体を該穴から筒体４外へ排出することができる。このため、筒体４内に地盤試料をスムーズに採取することができる。
【００３３】
また、穴７ａには、筒体４内から筒体４外への流れを許し、その逆の流れを防ぐ逆止弁８が設けられているので、筒体４内に存在する媒体を穴７ａから筒体４外へ排出することを許す一方、該穴７ａから筒体４内に所定深さ以外の地盤試料が入り込むのを防止することができる。
【００３４】
また、筒体４及び蓋体５は、駆動軸２の下端部に支持されているので、所定深さの地盤試料を採取する以前に、駆動軸２、筒体４及び蓋体５が地盤試料を撹拌することがない。従来例では、コア採取装置７０が掘削撹拌軸７３の撹拌羽根７４に装着されており、所定深さにおいて該撹拌羽根７４を回転させることにより、地盤試料をバケット７２内に掬い込んで採取するように構成されているので、採取時には構造上必然的に地盤試料が撹拌されてしまうという課題があるが、試料採取装置１によれば、所定深さにおける地盤試料を撹拌せずに、ほぼそのままの状態で採取することがきる。
【００３５】
また、本例の試料採取方法によれば、前記（１）の下降させる段階と、前記（４）の上昇させる段階において、駆動軸２を正回転方向Ｒ１へ回転させているので、下降又は上昇中に下端側開口４ａを蓋体５が確実に閉じているようにすることができる。また、地盤試料を採取するときだけ下端側開口４ａを蓋体５が開くようにしているので、所定深さにおける地盤試料を確実に採取することができる。また、駆動軸２を回転させたり、昇降させたりすることにより、地盤試料を採取することができるので、従来例とは異なり、簡単に操作を行うことができる。
【００３６】
次に、図６は本発明を具体化した第二実施形態を示している。この軟質地盤の試料採取装置２０及び試料採取方法は、以下に示す点において、主に第一実施形態と相違している。従って、同実施形態と共通する部分については、同一符号を付することにより重複説明を省く（以下に示すその他の実施形態についても同様）。
【００３７】
本例では、筒体２１は、駆動軸２と平行な軸２５を中心に駆動軸２及び蓋体２２に対して相対回動自在に支持され、駆動軸２が正回転方向Ｒ１へ回転されると、周囲の地盤との摩擦によって回動するとともに、筒体２１の下端側開口２１ａが閉じた位置で閉位置係止ピン１５により回動を阻止されるようになっている。また、筒体は、駆動軸２が逆回転方向Ｒ２へ回転されると、周囲の地盤との摩擦によって回動するとともに、開口２１ａが開いた位置で開位置係止ピン１６により回動を阻止されるようになっている。本例の試料採取装置２０は、このように構成されている点が、第一実施形態と相違している。また、本例の試料採取装置２０における正回転方向Ｒ１及び逆回転方向Ｒ２は、図６に示すように第一実施形態のものと反対方向になっている。
【００３８】
本例の試料採取装置２０によっても、第一実施形態と同様の試料採取方法により地盤試料を採取することができる。そして、本例の試料採取装置２０及び試料採取方法によっても、第一実施形態と同様の効果を得ることができる。
【００３９】
次に、図７及び図８は本発明を具体化した第三実施形態を示している。この軟質地盤の試料採取装置３０及び試料採取方法は、以下に示す点において、主に第一実施形態と相違している。
【００４０】
本例の試料採取装置３０は、第一実施形態よりも筒体３１が駆動軸２の径方向に広く間隔をおいて支持されている点と、各筒体３１ごとに、独立した軸３５を中心に回動する蓋体３２を備えている点とが相違している。筒体３１同士の間隔が離れているので、所定深さにおける離れた位置の地盤試料を採取することができる。このため、地盤試料のムラの有無をより正確に調査することができる。本例の試料採取装置３０における正回転方向Ｒ１及び逆回転方向Ｒ２は、図８に示すようになっている。
【００４１】
本例の試料採取装置３０によっても、第一実施形態と同様の試料採取方法により地盤試料を採取することができる。そして、本例の試料採取装置３０及び試料採取方法によっても、第一実施形態と同様の効果を得ることができるとともに、上記本実施形態特有の効果を得ることができる。
【００４２】
次に、図９は本発明を具体化した第四実施形態を示している。この軟質地盤の試料採取装置４０及び試料採取方法は、以下に示す点において、主に第一実施形態と相違している。
【００４３】
本例の試料採取装置４０は、蓋体４１における蓋片４１ａの下部が下側になるほど断面積が小さくなるように形成されている点と、蓋片４１ａの下部の外周面に上下方向に延びる凹溝４２が形成されている点とが、第一実施形態と相違している。
【００４４】
蓋片４１ａの下部は、本例では、略円錐形に形成されているが、これに限定されず、例えば、略角錐形、略半球形、略流線形等にすることができる。この蓋片４１ａの下部によれば、地盤内での下降時における蓋体４１の抵抗を低減し、試料採取装置４０が地盤内でスムーズに下降するようにすることができる。
【００４５】
凹溝４２の形状は、図９に示すものに限定されない。この凹溝４２によれば、地盤内での回動時における蓋体４１の抵抗を増大させ、駆動軸２及び筒体４に対して蓋体４１が確実に相対回動するようにすることができる。凹溝４２に代えて、又は凹溝４２とともに、蓋片４１ａの下部の外周面に上下方向に延びる凸条を形成することもでき、該凸条も凹溝４２と同様の効果を奏する。
【００４６】
なお、第二実施形態のように駆動軸２に対して筒体２１が相対回動するように構成するときは、上下に延びる凹溝４２や前記凸条を、蓋体２２ではなく、筒体２１の外周面に設けるようにする。
【００４７】
本例の試料採取装置４０によっても、第一実施形態と同様の試料採取方法により地盤試料を採取することができる。そして、本例の試料採取装置４０及び試料採取方法によっても、第一実施形態と同様の効果を得ることができるとともに、上記本実施形態特有の効果を得ることができる。
【００４８】
なお、本発明は前記実施形態に限定されるものではなく、例えば以下のように、発明の趣旨から逸脱しない範囲で適宜変更して具体化することもできる。
（１）本発明の試料採取装置を駆動軸２の長さ方向へ間隔をおいて複数設けることにより、異なる深さの地盤試料を一度に採取可能に構成すること。例えば、第三実施形態における筒体３１及び蓋体３２を駆動軸２の長さ方向へ間隔をおいて複数設けることが挙げられる。このとき、各筒体３１を駆動軸２の周面に取り付けるようにする。また、底面から見て、各筒体３１の下端側開口が互いに重なり合わないように、筒体３１の取付位置を駆動軸２の周方向や駆動軸２の径方向へ互いにずらすようにすることもできる。
（２）正回転方向Ｒ１及び逆回転方向Ｒ２を上記実施形態とは逆方向に設定すること。
（３）筒体、蓋体等の形状、サイズ、設置数を適宜変更すること。
【図面の簡単な説明】
【００４９】
【図１】本発明を具体化した第一実施形態に係る軟質地盤の試料採取装置を示す斜視図である。
【図２】同試料採取装置の分解斜視図である。
【図３】同試料採取装置の側面図である。
【図４】同試料採取装置の底面図であり、（ａ）は蓋体が筒体の下端側開口を閉じた状態を示す図、（ｂ）は蓋体が筒体の下端側開口を開いた状態を示す図である。
【図５】同試料採取装置を使用した試料採取方法の各段階を示す図である。
【図６】本発明を具体化した第二実施形態に係る試料採取装置の分解斜視図である。
【図７】本発明を具体化した第三実施形態に係る試料採取装置を示す側面図である。
【図８】同試料採取装置の底面図である。
【図９】本発明を具体化した第四実施形態に係る試料採取装置を示す図であり、（ａ）は側面図、（ｂ）は（ａ）のｂ−ｂ線断面図である。
【図１０】従来の地盤のコア採取装置を示す斜視図である。
【符号の説明】
【００５０】
１    試料採取装置
２    駆動軸
３    取付部
４    筒体
４ａ  下端側開口
５    蓋体
６    支持体
７    上壁
７ａ  穴
８    逆止弁
１３    軸
１５    閉位置係止ピン
１６    開位置係止ピン
２０    試料採取装置
２１    筒体
２１ａ  下端側開口
２２    蓋体
２５    軸
３０    試料採取装置
３１    筒体
３２    蓋体
３５    軸
４０    試料採取装置
４１    蓋体
Ｒ１    正回転方向
Ｒ２    逆回転方向
【図１】
2005090045.tif 000003
【図２】
2005090045.tif 000004
【図３】
2005090045.tif 000005
【図４】
2005090045.tif 000006
【図５】
2005090045.tif 000007
【図６】
2005090045.tif 000008
【図７】
2005090045.tif 000009
【図８】
2005090045.tif 000010
【図９】
2005090045.tif 000011
【図１０】
2005090045.tif 000012